(57)【要約】      （修正有）【課題】オーディオ信号をブルートゥース信号に変換する無線オーディオ送信装置を提供する。【解決手段】無線オーディオ送信装置により、オーディオ信号を無線ブルートゥース信号に変換できる。この送信装置は入力アナログオーディオ信号をデジタル信号に変換するＡＤＣ２１を備える。ＣＰＵ２２がブルートゥース通信プロトコルにしたがうソースデータを出力する。ソースデータはブルートゥースベースバンド処理装置２３及びブルートゥースＲＦ処理装置２４によって順次に処理され、ＲＦ信号に変換される。最後に、ＲＦ信号がアンテナにより無線マイクロ波態様で送信される。【選択図】図２
0003117271.tif 000002
【実用新案登録請求の範囲】
【請求項１】
オーディオ信号をブルートゥース信号に変換することができる無線オーディオ送信装置において、
アナログオーディオ信号をデジタル信号に変換するアナログ−デジタル変換器（ＡＤＣ）、
前記デジタル信号をブルートゥース通信プロトコルにしたがうソースデータに変換する中央処理装置（ＣＰＵ）、
前記ソースデータをベースバンド信号に変換するブルートゥースベースバンド処理装置、
前記ベースバンド信号を無線周波数（ＲＦ）信号に変換するブルートゥースＲＦ処理装置、及び
前記ＲＦ信号を無線マイクロ波の態様で出力するアンテナ、
を備えることを特徴とする無線オーディオ送信装置。
【請求項２】
前記オーディオ信号を受け取るためのオーディオ入力ソケットをさらに備えることを特徴とする請求項１に記載の無線オーディオ送信装置。
【請求項３】
前記オーディオ信号をデジタル化するために、前記ＡＤＣがパルスコード変調（ＰＣＭ）方式を利用することを特徴とする請求項１に記載の無線オーディオ送信装置。
【請求項４】
前記無線オーディオ送信装置に電力を供給する電池セットをさらに備えることを特徴とする請求項１に記載の無線オーディオ送信装置。
【請求項５】
前記無線オーディオ送信装置に外部から電力を供給する電源コードをさらに備えることを特徴とする請求項１に記載の無線オーディオ送信装置。
【請求項６】
前記ＣＰＵ，前記ブルートゥースベースバンド処理装置及び前記ブルートゥースＲＦ処理装置が１チップに集積されていることを特徴とする請求項１に記載の無線オーディオ送信装置。
【請求項７】
前記オーディオ信号が右耳チャネル及び左耳チャネルを含むステレオオーディオ信号であることを特徴とする請求項１に記載の無線オーディオ送信装置。
【考案の詳細な説明】
【技術分野】
【０００１】
本考案は無線マルチメディアオーディオ送信装置に関し、さらに詳しくは、オーディオ信号をブルートゥース通信プロトコルにしたがう信号に変換する送信装置に関する。
【背景技術】
【０００２】
現在、ＵＳＢ（ユニバーサルシリアルバス）インターフェースを利用するブルートゥース送信装置は従来のブルートゥース送信装置より普及しており、パーソナルコンピュータ（ＰＣ）またはラップトップコンピュータでつくられたデジタル音楽信号を無線態様でブルートゥースヘッドホンに送信できる。したがって、ヘッドホンを着けているユーザは上記の音楽発生器から離れた場所でメロディを楽しむことができる。しかし、そのようなヘッドホンは、マルチメディアプレーヤーまたはＵＳＢインターフェース付きコンピュータにしか対応しておらず、テレビジョン、マルチメディアディスクプレーヤー及び音声増幅器など、家庭で用いられる普通の家電音響機器とは通信できない。したがって、ヘッドホンはある特定の用法に限定される。
【０００３】
さらに、テレビジョンまたは音楽プレーヤーに適用できる無線オーディオ送信装置は、変換されたオーディオ信号を無線送信するための媒体としてＦＭ（周波数変調）マイクロ波または赤外線を利用する。雑音がＦＭマイクロ波及び赤外線を妨害する恐れがあり、また、ＦＭマイクロ波及び赤外線は壁のなどの何らかの障害物を通り抜けることができないため、従来の無線オーディオ送信装置は適用範囲が限られ、音質が劣っている。さらに、そのような無線信号を受信するようにした受信装置またはヘッドホンでは、送信装置の専用動作周波数または専用波長を調節する必要があり、よって送信装置を種々のシステムにおいて適宜に用いることができない。
【０００４】
要約すれば、干渉を排除し、したがって、ユーザが離れた場所で高品質の無線オーディオ信号を受信することができ、ほとんどの通信システムに対応可能なマルチメディアオーディオ送信装置が通信市場に強く求められている。
【考案の開示】
【考案が解決しようとする課題】
【０００５】
本考案の課題は、オーディオ信号をブルートゥース信号に変換する無線マルチメディアオーディオ送信装置を提供することである。本送信装置は、オーディオ出力端子をもつ家電機器に広く適用できる。
【０００６】
本考案の第２の課題は、ブルートゥース通信プロトコルに適合する受信装置であれば、どのような受信装置にも信号を送信できる、ブルートゥース通信プロトコルにしたがう送信装置を提供することである。送信装置と受信装置の間の通信は、受信装置の様々なハードウエアとは無関係に正しく行われる。
【課題を解決するための手段】
【０００７】
上記課題を達成するため、本考案はオーディオ信号を無線ブルートゥース信号に変換できる無線オーディオ送信装置を開示する。本送信装置は、入力アナログオーディオ信号をデジタル信号に変換するアナログ−デジタル変換器（ＡＤＣ）を備える。中央処理装置（ＣＰＵ）によってブルートゥース通信プロトコルにしたがうソースデータが出力される。ソースデータは、ブルートゥースベースバンド処理装置及びブルートゥース無線周波数（ＲＦ）処理装置によって順次に処理され、ＲＦ信号に変換される。最後に、ＲＦ信号が無線マイクロ波の態様でアンテナから送信される。
【考案を実施するための最良の形態】
【０００８】
添付図面にしたがって本考案を説明する。
【０００９】
ブルートゥース動作モデルについては、ブルートゥース無線機器に入っている小形のＲＦ及びベースバンドチップセットにより、使用料無料の中心周波数２.４ＧＨｚのＩＳＭ（工業、科学、医用）帯域が使用される。対応する周波数帯域は相異なる７９のチャネルに分割され、それぞれのチャネルの周波数帯域は１ＭＨｚである。ＩＳＭ帯域を用いる全ての無線機器間の干渉を避けるため、周波数ホッピング拡散スペクトル（ＦＨＳＳ）方式が利用され、毎秒１６００回の面倒な周波数スワップレートが実施される。さらに、データ交換に際して非常に高い安全性が確保されるように、暗号化技術が利用される。このため、ブルートゥース無線機器の実効ボーレートは４３２〜７２１ｋｂｐｓであり、有効送信距離は１０〜１００ｍとなっている。
【００１０】
図１は本考案にしたがう送信装置の応用例の略図である。ハイファイ装置７０からのオーディオ信号が接続ケーブル５０を介して無線オーディオ送信装置２０に入力される。無線オーディオ送信装置２０には、接続ケーブル５０のプラグが差し込まれるオーディオ入力ソケット２６が設けられている。無線オーディオ送信装置２０はオーディオ信号を対応する無線ブルートゥース信号に変換することができる。無線ブルートゥース信号はブルートゥース通信プロトコルにしたがう受信装置８０によって受信されて、ユーザが直接聞く音に変換される。さらに、無線オーディオ送信装置２０には、電池セット２７または電池セット２７を交換するためにも利用できる電源コード２９によって電力が直接供給される。
【００１１】
図２は本考案にしたがう無線オーディオ送信装置の機能ブロック図である。無線オーディオ送信装置２０は、ハイファイ装置７０からのアナログオーディオ信号を対応するデジタル信号に変換するアナログ−デジタル変換器（ＡＤＣ）２１を備える。このオーディオ信号は、右耳チャネル及び左耳チャネルを含むステレオオーディオ信号である。ＡＤＣ２１はアナログオーディオ信号をサンプリングしてその量を表すためにパルスコード変調（ＰＣＭ）方式を用いる。結果として、それぞれの定量パルスの大きさは一組の２進コードで表される。
【００１２】
デジタル信号は、中央処理装置（ＣＰＵ）２２によってブルートゥース通信プロトコルにしたがうソースデータに変換される。その後、ブルートゥースベースバンド処理装置２３によってソースデータにベースバンド変換処理が施される。処理後のブルートゥースベースバンド信号はさらにブルートゥース無線周波数（ＲＦ）処理装置２４によってＲＦ信号に変換される。最後に、アンテナ２５がオーディオ信号を無線マイクロ波の態様で放送する。なお、ＣＰＵ２２は、シリアルデータを同時に送信及び受信するユニバーサル非同期型レシーバートランスミッター（ＵＡＲＴ）にデジタル信号を出力することができる。また、ＣＰＵ２２，ブルートゥースベースバンド処理装置２３及びブルートゥースＲＦ処理装置２４はただ１つのチップに集積され、よって占有スペースが縮小される。
【００１３】
図３は本考案にしたがう別の送信装置応用の略図である。パーソナルコンピュータ９０からのオーディオ信号が接続ケーブル５０を介して無線オーディオ送信装置２０に入力される。無線オーディオ送信装置２０はオーディオ信号を、ブルートゥース通信プロトコルにしたがう受信機８０によって受信される、対応する無線ブルートゥース信号に変換する。最後に、増幅器６０が、無線ブルートゥース信号をオーディオ信号に変換した後に音を発する。
【００１４】
本考案の上記実施形態は、説明用に記載したものに過ぎない。当業者であれば、添付される特許請求の範囲を逸脱することなく数多くの別の実施形態を案出できるであろう。
【図面の簡単な説明】
【００１５】
【図１】本考案にしたがう送信装置応用の略図である
【図２】本考案にしたがう無線オーディオ送信装置の機能ブロック図である
【図３】本考案にしたがう別の送信装置応用の略図である
【符号の説明】
【００１６】
２０    無線オーディオ送信装置
２１    ＡＤＣ
２２    ＣＰＵ
２３    ブルートゥースベースバンド処理装置
２４    ブルートゥースＲＦ処理装置
２５    アンテナ
２６    オーディオ入力ソケット
２７    電池セット
２９    電源コード
５０    接続ケーブル
６０    増幅器
７０    ハイファイ装置
８０    受信装置
９０    パーソナルコンピュータ
【図１】
0003117271.tif 000003
【図２】
0003117271.tif 000004
【図３】
0003117271.tif 000005